(57)【要約】      （修正有）【課題】美術館等の展示作品をアップロードする場合において、著作権の侵害を回避する技術を提供する。【解決手段】美術館等の各展示作品の言語による説明や画像を、インターネットのサーバーへアップロードし、前記言語による説明や画像をモバイルコンピューター端末へダウンロードして利用するアプリにおいて、著作権者の許諾２０が得られた場合には、前記画像（展示作品）２２、又は前記画像２２及び説明２３，２４をアップロードし、著作権者が非許諾である場合には、画像（展示作品２２）はアップロードせずに、説明（文字表示）２３、又は説明（音声２４）又はその両者をアップロードする。【選択図】図２
2018084885.tif 000002
【特許請求の範囲】
【請求項１】
美術館等の各展示作品の言語による説明や画像をインターネットのサーバーへアップロードし、前記言語による説明や前記画像をモバイルコンピューター端末へダウンロードして利用するアプリケーションのアップロードの方法において、各展示作品の前記言語による説明のみ、前記画像のみ又は前記説明と前記画像、のいずれかをアップロードすることを選択するようにしたことを特徴とする美術館等の展示作品鑑賞用アプリケーションのアップロードの方法。
【請求項２】
前記展示作品の説明は音声、文字表示又はその両者で行うようにした請求項１に記載の美術館等の展示作品鑑賞用アプリケーションのアップロードの方法。
【請求項３】
前記各展示作品のうち、前記各展示作品の著作権者の公衆送信権の利用許諾が得られた展示作品については、前記画像のみか、又は前記画像と説明の両者を、前記利用許諾が得られなかった展示作品については、前記説明のみをアップロードするようにした請求項１又は２に記載の美術館等の展示作品鑑賞用アプリケーションのアップロードの方法。
【請求項４】
前記アップロードは前記アプリの制作の発注者である美術館等又は前記アプリの制作の受注者が行うようにした請求項１乃至３のいずれかに記載した美術館等の展示作品鑑賞用アプリケーションのアップロードの方法。
【請求項５】
前記説明は日本語であるか又は日本語とその他の言語のうちから一つを選択できるようにしたものである請求項１乃至４のいずれかに記載の美術館等の展示作品鑑賞用アプリケーションのアップロードの方法。
【請求項６】
前記ダウンロードを美術館等の施設の外で行う場合には、前記アップロードした展示作品の一部又は全部についてロック機能を働かせて閲覧できないようにした請求項１乃至５のいずれかに記載した美術館等の展示作品鑑賞用アプリケーションのアップロードの方法。
【請求項７】
前記ダウンロードは有料であるようにした請求項１乃至６のいずれかに記載した美術館等の展示作品鑑賞用アプリケーションのアップロードの方法。
【発明の詳細な説明】
【技術分野】
【０００１】
本発明は、美術館等の展示作品の画像等の内容を、インターネットのサーバーへアップロードし、それをスマートフォン等のモバイルコンピューター端末へダウンロードして利用するアプリケーションのアップロードの方法に関する。
なお、ここでモバイルコンピューター端末とは、通信機能を持ち、単体でもマルチメディアが扱えるものをいう。また、美術館等とは美術館、博物館、城郭、庭園その他の、展示作品を有する施設を言う。また、前記展示作品の画像とは、展示作品の画像（カラー画像を白黒画像へ変換したものを含む）、又はその二次的著作物の画像を言う。
【背景技術】
【０００２】
観光地等において、観光スポットの情報をインターネットのサーバーへアップロードし、それをスマートフォン等へダウンロードして利用することは行われている。それにより、観光スポットの内容を画像や文字や音声等で知ることができて観光に便利である。また、その際、地図上に観光スポットの位置が表示され、観光客をルート案内することもできる。
【０００３】
この技術を美術館等の展示作品の鑑賞等に利用しようとすると、著作権の問題に直面して実施が困難になることがある。美術館等が著作権者から展示作品の譲渡を受けて所有権を有していて美術館等の内部で展示することはできるとしても、著作権者の利用許諾を得ることなしに展示作品をアップロードすれば著作権者の公衆送信権を侵害するからである。そこで、著作権者の利用許諾を得ればよいのであるが、それが困難である場合が少なくない。
【０００４】
すなわち、著作権者としての著作者が生存していたとしても、その著作権者を見つけ出すことは容易でない場合があり、また、著作者の死後であっても著作権の保護期間内は、相続人等を探し出して許諾を受けねばならず、大変困難なことがある。さらに、展示作品の著作権者が外国居住の者であった場合には探し出すのがますます困難な場合がある。その結果として、前記技術の利用を断念せざるを得なくなる場合もある。
【０００５】
また、美術館等の展示作品の中には、写真撮影が禁止されているものもあり、これらについては、アップロードして美術館等の施設内ではダウンロードして利用できるようにするとしても、美術館等の施設外ではダウンロードして利用できるようにするのは適当ではない。
一方、展示作品の説明は、美術館等の職員等の関係者によって作成される場合も多く、著作権侵害の問題が生じない場合も多い。
なお、言うまでもなく、二次的著作物の利用に関しても原著作物の著作権者の権利が及ぶ。
本発明は、このような背景のもとに完成されたものである。
【０００６】
本発明に関連する従来技術として、特許文献１の発明は、ＰＳＡ暗号等による非対象鍵暗号の鍵ペア生成機能と電子署名機能による著作権保護機能を持たせたアプリケーション・プログラムを提供する技術である。
【０００７】
特許文献２の発明は、安全な電子商取引システムの係るもので、作品の著者又は所有者が作品の電子的複製をアップロード及び格納することを可能にし、かつ、複数のクライアントシステムが暗号化された作品の複製をダウンロードするために、サーバーシステムにアクセスすることを可能とするサーバーシステムを可能とするものである。
【０００８】
特許文献３の発明は、ＣＧＭ型のサービスにおいて、商用コンテンツがユーザー機器からアップロードされた場合であっても、著作権侵害とならないようにすることを目的とし、コンテンツ提供サーバーにおいて、該サーバーへコンテンツがアップロードされたとき、自動的に当該コンテンツを認識し、認識結果に応じてサーバー上のコンテンツの提供の仕方を変えるものである。
【０００９】
特許文献４の発明は、インターネットを通じてダウンロード方式で提供されるデジタルコンテンツについて、不法複製や不法伝送などの著作権侵害行為を遮ることができる情報保護システムに関し、ストリーミングやダウンロード方式で提供され、多様なコンテンツ多様な端末機のプラットフォームをサポートするものである。
【００１０】
これらの従来技術は、展示作品等のデジタルコンテンツをサーバーにアップロードするものであるが、いずれも著作権の侵害等を回避するために、展示作品に応じてアップロードの内容を選択する方法に関するものではない。
【先行技術文献】
【特許文献】
【００１１】
【特許文献１】特開２００８−１３６０６３
【特許文献２】特表２００４−５００６１３
【特許文献３】特開２００８−２１７０４８
【特許文献４】特表２００５−５１４７０３
【発明の概要】
【発明が解決しようとする課題】
【００１２】
そこで本発明は、美術館等の各展示作品の内容をインターネットのサーバーへアップロードし、前記各展示作品の内容をスマートフォン等のモバイルコンピューター端末へダウンロードして展示品の鑑賞をしたり、説明を受けたりして利用することにおいて、アップロードする際に著作権者の公衆送信権を侵害することなしに行うことができ、併せて展示作品の鑑賞をする者の利便性をも確保することができる技術を提供しようとするものであり、更には、前記の技術を前提として美術館等の重要所蔵展示作品を施設外では鑑賞できないようにする技術を提供しようとするものである。
すなわち、重要所蔵展示作品で撮影が禁止されているようなものはアップロードしておいて、美術館等の施設内部ではダウンロードして利用できるようにするとしても、美術館等の施設外部ではダウンロードして利用することができないようにすることが適当であるからである。
【課題を解決するための手段】
【００１３】
前記課題を解決するため本発明は、美術館等の各展示作品の言語による説明や画像をインターネットのサーバーへアップロードし、前記言語による説明や画像をモバイルコンピューター端末へダウンロードして利用するアプリケーションのアップロード方法において、前記言語による説明のみ、前記画像のみ又は前記説明と前記画像、のいずれかをアップロードすることを選択するようにしたことを特徴とする。
【００１４】
前記展示作品の説明は、音声、文字表示又はその両者で行うようにしてもよい。
【００１５】
前記各展示作品のうち、前記各展示作品の著作権者の公衆送信権の利用許諾が得られた展示作品については、前記画像のみか、又は前記画像と説明の両者をアップロードし、前記利用許諾が得られなかった展示作品については前記説明のみをアップロードするとよい。
【００１６】
前記アップロードは、前記アプリケーションの制作の発注者である美術館等が又は前記アプリケーションの制作の受注者が行うようにするとよい。
【００１７】
前記説明は日本語で行われるか、又は日本語とその他の言語のうちから一つを選択して行われるようにするとよい。
【００１８】
前記ダウンロードを美術館等の施設外で行う場合には、前記アップロードした展示作品の画像又は説明の一部又は全部のダウンロードについてロック機能を働かせて閲覧できないようにしてもよい。
【００１９】
前記ダウンロードの全部又は一部については有料であるようにしてもよい。
【発明の効果】
【００２０】
本発明によれば、美術館等の各展示作品の言語による説明や画像をインターネットのサーバーへアップロードする際に、各展示作品の前記言語による説明のみ、前記画像のみ又は前記説明と前記画像、のいずれかを選択するようにしたので、美術館等は各展示作品の内容をどこまでアップロードできるかをコントロールできる。また、そのために、利用者の利便性を確保しつつ、各展示作品の著作権者の著作権の侵害を避け得る。
【００２１】
請求項２の発明によれば、展示作品の説明は音声、文字表示又はその両者で行うようにしたので、アプリケーションを利用して展示作品の説明を受ける者にとって利便性が高い。
【００２２】
請求項３の発明では、著作権者の公衆送信権の利用許諾が得られた展示作品については、画像のみか、又は前記画像と説明の両者をアップロードし、利用許諾が得られなかった展示作品については説明のみをアップロードするようにしたので、利用許諾が得られなかった展示作品についても、美術館等の施設内で画像がアップロードされていない展示作品を直接見ながら、説明のみダウンロードして、音声又は文字表示か、あるいはその両者で説明を受けられるので、展示作品の鑑賞を十分に行うことができる。
【００２３】
請求項４の発明では、展示作品の内容をアップロードするのは、アプリケーションの制作を発注する美術館等か又はアプリケーション制作の受注者であるので、美術館等は各展示作品等について、著作権者の公衆送信権の利用許諾が得られたかや、各展示作品が施設外では画像を見られるようにすべきでない重要所蔵品なのか等を正しく判断できる立場にあるので、前記侵害を避けつつ各展示作品の鑑賞等を十分に行えるようにしたりすることができる。一方、アプリケーションの制作の受注者も美術館等と十分に打ち合わせをする立場にあるので、前記侵害を避けたり、重要所蔵品であるかどうかを知ることができたりする立場にあり、前記美術館等と同様に侵害等の問題の発生を避けつつ、利用者が各展示品の鑑賞等を十分に行えるようにすることができる。
【００２４】
請求項５の発明によれば、各展示作品の説明は日本語である場合もあるが、日本語とそのほかの言語のうちから一の言語を選択できるようにしたので、ダウンロードする利用者の利便性を考慮に入れて、幅広く対応できるようにアップロードできる。
【００２５】
請求項６の発明によれば、ダウンロードを美術館等の施設外で行う場合には、アップロードした展示作品の画像説明の一部又は全部についてロック機能を働かせて閲覧できないようにしたので、美術館等の特に重要な所蔵品である展示作品を、美術館等の内部では閲覧できても外部では閲覧できないようにすることができる。
【００２６】
請求項７の発明によれば、アプリケーションの利用者の利便性の向上に対し、アプリケーションのダウンロードの全部又は一部を有料とすることで、美術館等又はアプリケーションの制作の受注者は対価を得ることができ、アプリケーションの制作への投資を回収することができる。
【図面の簡単な説明】
【００２７】
【図１】本発明の実施の形態に係る、アプリケーションにおける展示作品の画像等のアップロード、そのダウンロード及びダウンロードによる収入等の関係を表す図である。
【図２】本発明の実施の形態に係る、アプリケーションにおける展示作品の画像等のアップロードの種類を示す図である
【図３】本発明の実施の形態に係る、アプリケーションの画像等の美術館等の内外におけるダウンロードの種類を示す図である。
【図４】本発明の実施の形態に係る、美術館等の施設外で、ダウンロードの際にロック機能を有する場合の図である。
【発明を実施するための形態】
【００２８】
本発明の実施の形態について、図面に基づいて説明する。図１において、アプリケーションの発注者である美術館等１は、アプリケーションの制作をアプリケーションの受注者２へ発注する。その際、前記美術館等１は所有している各種展示作品の画像やその説明のコンテンツをアプリケーションの受注者２へ提供する。
【００２９】
アプリケーション受注者のアプリケーション制作部門６が、制御用コンピュータ―４を使用してアプリケーションを制作する。前記アプリケーションは、翻訳者７又は機械翻訳８によって日本語以外の言語に翻訳される場合もあり、コンテンツ編集・アプリ開発サーバー５によってアプリケーションが完成される。
【００３０】
前記アプリケーションは美術館等の各展示作品、例えば１００個についてそれぞれの画像と説明を有する場合がある。完成されたアプリケーションは美術館等１又はアプリ受注者２がアプリケーション提供サーバー９へアップロード１２，１３する。
【００３１】
前記アプリケーションは公式ストアサーバーＡ、１０又は公式ストアサーバーＢ、１１に登録される場合もある。前記公式ストアサーバーとは、例えばＡｐｐ Ｓｔｏｒｅ（登録商標）やＧｏｏｇｌｅ Ｐｌａｙ（登録商標）のような、十分なセキュリティー、パフォーマンス、堅牢さ、容量を持った、社会的に信用のある公開サーバーであり、十分な通信容量も兼ね備えているものをいう。
【００３２】
前記アプリケーションは、アプリケーション利用者Ａである観光客のスマートフォン端末３へダウンロード１６され、前記観光客はアプリケーションのコンテンツである、展示作品の画像や展示作品の説明を閲覧できたり、音声で聞いたりすることができる。美術館等の内部でダウンロードする場合には、目前の展示作品の現物を見ながら、前記閲覧をしたり、音声で聞いたりすることにより、鑑賞の効果を高めることができる。
なお、前記ダウンロードは、美術館等の施設の内外のどこかで一度ダウンロードすれば、再度ダウンロードしなくてもよいようにすることもできる。また、前記アプリケーションのダウンロードによる収入は、美術館等１が受ける場合もあり、アプリケーション制作の受注者２が受ける場合もある。その後、美術館等１及びアプリケーション受注者２で前記ダウンロード収入を配分する場合もある。
【００３３】
前記公式ストアサーバーを使用する場合には、一般的にはアプリケーションのダウンロード料の約３０％を使用料として支払う。本発明においてアプリケーションのダウンロード料が有料か無料かを言うときには、前記公式ストアサーバーの使用料は除外する。なお、ダウンロードは公式ストアサーバーの使用料を除き、無料とされる場合もある。
【００３４】
図２は、展示作品の著作権者の公衆送信権の利用許諾が得られた場合と、得られなかった場合における展示作品の内容のアップロードの方法の違いを表したものである。著作権者の許諾２０が得られた場合には、美術館等は展示作品の画像２２、説明（文字表示・日本語）２３、説明（音声・日本語）２４をアップロード２５する。著作権者が非許諾２１である場合、説明（文字表示・日本語）２３、説明（音声・日本語）２４をアップロード２５する。
【００３５】
著作権者が非許諾２１である場合、美術館等が著作権者から作品の譲渡を受けていてその所有権を有していれば、施設内等に展示することは著作権者の許諾なしに行うことができるが、公衆送信権の利用許諾なしに展示作品の画像２２をアップロード２５すれば著作権者の公衆送信権の侵害になるからである。
なお、説明（文字表示・日本語）２３、説明（音声・日本語）２４は、一般的には、展示作品の著作権者の許諾の有無にかかわらず、公衆送信権の侵害なしにアップロードできる。
図２は実施の一形態であり、例えば、著作権者の許諾２０が得られた場合には、画像（展示作品）２２のみをアップロードする場合もあるし、説明もアップロードする場合、音声・日本語２４のみをアップロードする場合もあるし、説明は外国語の場合もある。
【００３６】
図３は、展示作品の著作権者の公衆送信権の利用許諾２０が得られた場合における、ダウンロード１４，１５がされた展示作品の画像等の美術館等の施設外３２におけるロック機能３１と閲覧制限を表したものである。美術館等の施設内部においてはロック機能３１は働かずに、アップロードされた画像（展示作品）２２、説明（文字表示・日本語）２３及び説明（音声・日本語）２４がすべて閲覧等が可能である。一方、美術館等の施設外３２では、画像（展示作品）２２、や、説明（音声・日本語）２４にはロック機能が働いて、閲覧等が不能にすることができる。
【００３７】
これにより、美術館等において、撮影をするような重要所蔵品である展示作品は、著作権者の公衆送信権の利用許諾２０を得てアップロードされ（て）、美術館等の施設内部３０では閲覧が可能であっても、美術館等の施設外３２では説明（文字表示・日本語）２３以外の閲覧を不能にすることができる。
なお、本実施形態は一例であって、例えば、前記説明（文字表示・日本語）２３にもロック機能を働かせて閲覧不能にすることができる。
【００３８】
図４は、展示作品の画像や説明であるコンテンツの閲覧のロックとロック解除の処理のフローである。前記処理フローの「開始」４０の際には、「コンテンツのロック（閲覧制限）」４１の状態になっている。スマートフォン等の位置検出手段、例えばＧＰＳ（全地球測位システム、以下同様）で「美術館等入口（ＧＰＳ）」４２に来たか否かが判断される。美術館等入口に来たことが検出されなければ、更にビーコン（ｂｅａｃｏｎ）で「美術館等入口（ｂｅａｃｏｎ）」４３に来たか否かが判断される。
【００３９】
美術館等入口に来れば、「ロック解除」４４が行われるが、それによっても美術館等入口へ来たことが確認できなければ、「ロック解除」４４は行われない。
前記ビーコン（ｂｅａｃｏｎ）は電波等を発する固定された装置で、その信号を受信したスマートフォン等が現在地を知ることができるのである。「ロック解除」４４が行われれば、美術館等の内部ではアップロードされた展示作品の画像や説明のコンテンツを自由にダウンロードできて利用できる。
【００４０】
閲覧が終わって、ＧＰＳで「美術館等出口（ＧＰＳ）」４５へ来たことが確認されるか、それで確認されなくてもビーコンで「美術館等出口（ｂｅａｃｏｎ）」４６へ来たことが確認されれば、再び、「コンテンツのロック（閲覧制限）」４１がかかる。これにより、重要所蔵品たる展示作品で館外では閲覧させたくないものや、撮影禁止にしている展示作品等は、たとえ、著作権者の利用許諾が得られてアップロードされていたとしても、美術館等の施設内部では閲覧できても、美術館等の施設外では閲覧不能にすることができる。
【００４１】
なお、本実施の形態は一例であって、例えば、美術館等の入口や出口に来たことをＩＣタグにかざしたか否かにより確認することもできる。
【００４２】
また、本発明は、上記実施の形態に限るものではなく、発明の範囲を逸脱しない限りにおいて、その構成を適宜変更できることは言うまでもない。
【産業上の利用可能性】
【００４３】
本発明においては、美術館等の各展示作品の言語による説明や、画像を著作権者の権利を侵害することなく、適宜アップロードして、それを利用者がダウンロードして利用できるようにすること等を可能にしたので、著作権者のアップロードの許諾が得られなくても、展示作品の説明のみをアップロードすることができ、美術館の内部では、展示作品がアップロードされていなくても、展示作品を目の前にして、アプリケーションの説明の部分のみをダウンロードして観賞することができる。従って、美術館等におけるアプリケーションの利用性が増し、ひいては来館者数も増え、産業の発展に貢献する。
【符号の説明】
【００４４】
１  アプリ発注者（美術館等）
２  アプリ受注者
３  アプリ利用者（観光客）
４  アプリ制作用コンピュータ―
５  コンテンツ編集・アプリ開発サーバー
６  アプリ制作部門
７  翻訳者
８  機械翻訳
９  アプリ提供サーバー
１０  公式ストアサーバーＡ
１１  公式ストアサーバーＢ
１２  アプリアップロード（アプリ受注者による）
１３  アプリアップロード（アプリ発注者による）
１４  ダウンロードによる収入（アプリ受注者の）
１５  ダウンロードによる収入（アプリ発注者の）
１６  アプリダウンロード
２０  著作権者の許諾（著作権者のアップロードの許諾）
２１  著作権者の非許諾
２２  画像（展示作品）
２３  説明（文字表示・日本語）
２４  説明（音声・日本語）
２５  アップロード
３０  美術館等の内部
３１  ロック機能
３２  美術館等の外部
４０  開始
４１  コンテンツのロック（閲覧制限）
４２  美術館等入口（ＧＰＳ）
４３  美術館等入口（ｂｅａｃｏｎ）
４４  ロック解除
４５  美術館等出口（ＧＰＳ）
４６  美術館等出口（ｂｅａｃｏｎ）
【図１】
2018084885.tif 000003
【図２】
2018084885.tif 000004
【図３】
2018084885.tif 000005
【図４】
2018084885.tif 000006